(57)【要約】【課題】医療用チューブにねじれの力が加わった場合であっても、雌型コネクタと雄型コネクタとの連結が外れることを阻止するための、コネクタ用ロックカバーを提供する。【解決手段】ロック部材２０の係合部材２２に設けられた係合凹部２４を第２医療用チューブ２０１を挟み込むように係合させる。これにより、第１医療用チューブ１０１の雌型コネクタ１００と第２医療用チューブ２０１の雄型コネクタ２００との相互の回転が、このコネクタ用ロックカバー１により阻止される状態となる。【選択図】図１０
2010035873.tif 000002
【特許請求の範囲】
【請求項１】
第１医療用チューブ(101)の先端に設けられた第１コネクタ(100)と、第２医療用チューブ(201)の先端に設けられた第２コネクタ(200)とを連結する際に用いられ、前記第１コネクタに取付けられるコネクタ用ロックカバーであって、
第１開放端(11a)とこの第１開放端(11a)の反対側に位置する第２開放端(11b)とを有し、内部に前記第１コネクタ(102)を収容し、その内周面に前記第１コネクタ(102)に対する回転を阻止する回転阻止領域(17a)が設けられる円筒状本体部(11)と、
前記第１開放端側(11b)にヒンジ機構(30)を介在して連結され、前記第１医療用チューブ(101)と前記第２医療用チューブ(201)とが連結された状態において、前記ヒンジ機構(30)により、前記第２医療用チューブ(201)に係合する位置と、前記第２医療用チューブ(201)から離間する位置との間を移動可能に設けられるロック部材(20)と、を備えるコネクタ用ロックカバー。
【請求項２】
前記円筒状本体部(11)の内周面には、
前記円筒状本体部(11)に対する前記第１コネクタ(102)の軸方向への移動を制限するために、前記第１コネクタ(102)の外表面を取り囲むように設けられた胴体凸部領域(102)を軸方向から挟み込む挟持領域(15,17)と、
前記第１コネクタ(102)の外表面において軸方向に延びるように設けられた複数のすじ状凸部領域(105)に係合する前記回転阻止領域(17a)としての係合領域(17a)と、が設けられ、
前記ロック部材(20)には、前記第２医療用チューブ(201)に係合するための係合凹部(24)が設けられる、請求項１に記載のコネクタ用ロックカバー。
【請求項３】
前記円筒状本体部(11)は、
前記第１開放端(11a)側に位置する第１円筒状部(11C)と、
前記第２開放端(11a)側に位置し、前記第１円筒状部(11C)よりも小径に設けられる第２円筒状部(11d)と、を有し、
前記第２円筒状部(11d)の前記第１円筒状部(11C)側および前記第２開放端(11b)側とには、それぞれ半径方向内側に突出し、円周方向に沿って分割配置される複数の係合片(15,17)が設けられ、
前記第１円筒状部(11C)側および前記第２開放端(11b)側にそれぞれ設けられた前記係合片(15,17)により前記挟持領域が構成され、前記第１円筒状部(11C)側に設けられた前記係合片(15)の円周方向の隙間により前記係合領域(17a)が構成される、請求項２に記載のコネクタ用ロックカバー。
【請求項４】
前記ロック部材(20)は、
前記ヒンジ機構(30)から延びる腕部材(21)と、
前記腕部材(21)から垂直方向に立ち上がる係合部材(22)と、を有し、
前記係合部材(22)の先端部分に前記係合凹部(24)が設けられる、請求項２または３に記載のコネクタ用ロックカバー。
【請求項５】
前記腕部材(21)は、前記第１開放端側(11b)に折り畳まれた状態において、前記第１開放端側(11b)の開口を閉ざす蓋部材(21A)を有する、請求項１から４のいずれかに記載のコネクタ用ロックカバー。
【発明の詳細な説明】
【技術分野】
【０００１】
この発明は、医療用チューブの先端に設けられたコネクタに取付けられるコネクタ用ロックカバーに関する。
【背景技術】
【０００２】
医療現場において、患者に薬液等を導入する場合に医療用チューブが用いられる。また。この医療用チューブ同士を連結する場合には、一方の医療用チューブには、雌型コネクタが取付けられ、他方の医療用チューブには雄型コネクタが取付けられ、雄型コネクタを雌型コネクタに螺合させることで、相互の医療用チューブの連結を可能としている。図１３および図１４に医療用チューブの概略を示す。
【０００３】
図１３において、第１医療用チューブ１０１の先端には雌型コネクタ１００が設けられ、第２医療用チューブ２０１の先端には雄型コネクタ２００が設けられている。雌型コネクタ１００は、第１医療用チューブ１０１の先端に固定的に連結される結合胴体部１０４と、この結合胴体部１０４に対して回転可能に設けられる胴体凸部領域をなすロータ部１０２と、このロータ部１０２に対して一体的に設けられ、ロータ部１０２よりも小径に設けられる操作ロータ部１０３とを有している。
【０００４】
操作ロータ部１０３の外表面には、軸方向に延びるように設けられた複数のすじ状凸部領域１０５が設けられている。操作ロータ部１０３の内部には、結合胴体部１０４とともに回転せず、第１医療用チューブ１０１に連結する雌側通路１２０が設けられている。また、操作ロータ部１０３の内周面には、後述のフランジ部２０５が螺合する雌ネジが形成されている（図示省略）。
【０００５】
雄型コネクタ２００は、第２医療用チューブ２０１の先端に固定的に連結される結合胴体部２０２と、この結合胴体部２０２に対して小径に設けられ第２医療用チューブ２０１に連結する雄側通路２０４が設けられている。この雄側通路２０４の先端部分には、操作ロータ部１０３の内周面に形成された雌ネジに螺合するフランジ部２０５が設けられている。また、結合胴体部２０２の外表面には、軸方向に延びるように設けられた複数のすじ状凸部領域２０３が設けられている。
【０００６】
図１４は、雌型コネクタ１００と雄型コネクタ２００とを結合した状態を示す図である。第２医療用チューブ２０１のフランジ部２０５を第１医療用チューブ１０１の操作ロータ部１０３に内接させ、操作ロータ部１０３を回転させることで、第１医療用チューブ１０１および第２医療用チューブ２０１をそれぞれ回転させることなく、雌型コネクタ１００と雄型コネクタ２００とを結合させることができる。このようなコネクタの連結構造を開示するものとして、下記特許文献１が挙げられる。
【特許文献１】特表２００２−５０１７９３号公報
【発明の開示】
【発明が解決しようとする課題】
【０００７】
上述したコネクタの連結構造によれば、第１医療用チューブ１０１および第２医療用チューブ２０１をそれぞれ回転させることなく、雌型コネクタ１００と雄型コネクタ２００とを結合させることができる。しかしながら、患者に医療用チューブが連結された状態においては、患者の移動にともない第１医療用チューブ１０１および第２医療用チューブ２０１のそれぞれにねじれの力が加わることが考えられる。
【０００８】
このような場合は、第１医療用チューブ１０１は操作ロータ部１０３に対して回転可能に設けられていることから、ねじれの力が蓄積されることはない。しかし、第２医療用チューブ２０１は結合胴体部２０２に固定的に連結されていることから、第２医療用チューブ２０１のねじれの力が加わった場合には、雄側通路２０４を回転させて雌型コネクタ１００と雄型コネクタ２００との連結を外すおそれがある。
【０００９】
このようなコネクタの連結が外れるおそれは、上記したような一方がロータ部を有するコネクタの連結に限らず、いずれのコネクタにもロータ部を有しないコネクタの連結においては、より外れの発生する確率は高くなる。
【００１０】
したがって、この発明は上記課題を解決するためになされたものであり、医療用チューブにねじれの力が加わった場合であっても、雌型コネクタと雄型コネクタとの連結が外れることを阻止するための、コネクタ用ロックカバーを提供することにある。
【課題を解決するための手段】
【００１１】
この発明に基づいたコネクタ用ロックカバーにおいては、第１医療用チューブの先端に設けられた第１コネクタと、第２医療用チューブの先端に設けられた第２コネクタとを連結する際に用いられ、上記第１コネクタに取付けられるコネクタ用ロックカバーであって、以下の構成を備えている。
【００１２】
第１開放端とこの第１開放端の反対側に位置する第２開放端とを有し、内部に上記第１コネクタを収容し、その内周面に上記第１コネクタに対する回転を阻止する回転阻止領域が設けられる円筒状本体部と、上記第１開放端側にヒンジ機構を介在して連結され、上記第１医療用チューブと上記第２医療用チューブとが連結された状態において、上記ヒンジ機構により、上記第２医療用チューブに係合する位置と、上記第２医療用チューブから離間する位置との間を移動可能に設けられるロック部材とを備えている。
【００１３】
この発明に基づいたコネクタ用ロックカバーの他の形態においては、上記円筒状本体部の内周面には、上記円筒状本体部に対する上記第１コネクタの軸方向への移動を制限するために、上記第１コネクタの外表面を取り囲むように設けられた胴体凸部領域を軸方向から挟み込む挟持領域と、上記第１コネクタの外表面において軸方向に延びるように設けられた複数のすじ状凸部領域に係合する上記回転阻止領域としての係合領域と、が設けられ、上記ロック部材には、上記第２医療用チューブに係合するための係合凹部が設けられている。
【００１４】
この発明に基づいたコネクタ用ロックカバーの他の形態においては、上記ロック部材には、上記第２医療用チューブに係合するための係合凹部が設けられている。
【００１５】
この発明に基づいたコネクタ用ロックカバーの他の形態においては、上記円筒状本体部は、上記第１開放端側に位置する第１円筒状部と、上記第２開放端側に位置し、上記第１円筒状部よりも小径に設けられる第２円筒状部と、を有し、上記第２円筒状部の上記第１円筒状部側および上記第２開放端側とには、それぞれ半径方向内側に突出し、円周方向に沿って分割配置される複数の係合片が設けられている。
【００１６】
この発明に基づいたコネクタ用ロックカバーの他の形態においては、上記第１円筒状部側および上記第２開放端側にそれぞれ設けられた上記係合片により上記挟持領域が構成され、上記第１円筒状部側に設けられた上記係合片の円周方向の隙間により上記係合領域が構成されている。
【００１７】
この発明に基づいたコネクタ用ロックカバーの他の形態においては、上記ロック部材は、上記ヒンジ機構から延びる腕部材と、上記腕部材から垂直方向に立ち上がる係合部材とを有し、上記係合部材の先端部分に上記係合凹部が設けられる。
【００１８】
この発明に基づいたコネクタ用ロックカバーの他の形態においては、上記腕部材は、上記第１開放端側に折り畳まれた状態において、上記第１開放端側の開口を閉ざす蓋部材を有している。
【発明の効果】
【００１９】
この発明に基づいたコネクタ用ロックカバーによれば、第１医療用チューブの第１コネクタを内部に収容した状態においては、回転阻止領域により第１コネクタの回転が阻止され、ロック部材を第２医療用チューブに係合することで、第２医療用チューブの第２コネクタの回転が阻止される。
【００２０】
その結果、第１医療用チューブの第１コネクタと第２医療用チューブの第２コネクタとの相互の回転が、このコネクタ用ロックカバーにより阻止される。これにより、医療用チューブにねじれの力が加わった場合であっても、第１コネクタと第２コネクタとの連結が外れることを阻止し、医療用チューブの連結状態の信頼性を向上させることが可能となる。
【発明を実施するための最良の形態】
【００２１】
以下に、本発明の各実施の形態について説明する。なお、以下に示す各実施の形態においては、同一または相当する部分には同一の参照符号を付し、その説明を繰返さない場合がある。また、本発明の対象は、コネクタに取付けられるコネクタ用ロックカバーであることから、上述した第１医療用チューブ１０１の先端には設けられる雌型コネクタ１００および第２医療用チューブ２０１の先端に設けられる雄型コネクタ２００については、同一の参照符号を付し、その説明を繰返さないこととする。また、個数、量などに言及する場合、特に記載がある場合を除き、本発明の範囲は必ずしもその個数、量などに限定されない。
【００２２】
＜実施の形態１＞
以下、図１から図６を参照して、本発明に基づいた実施の形態におけるコネクタ用ロックカバーについて説明する。なお、図１は、本実施の形態におけるコネクタ用ロックカバーの全体構成を示す第１の図であり、図２は図１中ＩＩ−ＩＩ線矢視断面図であり、図３は図１中ＩＩＩ−ＩＩＩ線矢視断面図であり、図４は図１中ＩＶ−ＩＶ線矢視断面図であり、図５は図１中Ｖ−Ｖ線矢視図であり、図６は、本実施の形態におけるコネクタ用ロックカバーの全体構成を示す第２の図である。
【００２３】
（コネクタ用ロックカバー１）
図１および図２を参照して、本発明に基づいた実施の形態におけるコネクタ用ロックカバー１は、図１３に示した第１医療用チューブ１０１の先端に設けられた雌型コネクタ１００と、第２医療用チューブ２０１の先端に設けられた雄型コネクタ２００とを連結する際に用いられ、雌型コネクタ１００に取り付けられるコネクタ用ロックカバーであって、以下の構成を備えている。
【００２４】
このコネクタ用ロックカバー１は、一例としてはポリプロピレン（ＰＰ）の樹脂成型品であり、第１開放端１１ａとこの第１開放端１１ａの反対側に位置する第２開放端１１ｂとを有し雌型コネクタ１００を収容する円筒状本体部１１と、第１開放端１１ａにおいてヒンジ機構３０を介在して連結されるロック部材２０とを有している。
【００２５】
（円筒状本体部１１）
円筒状本体部１１は、第１開放端１１ａを有する第１円筒状部１１ｃと、第１円筒状部１１ｃの外径よりも小径に設けられ第２開放端１１ｂを有する第２円筒状部１１ｄとを備えている。第１円筒状部１１ｃと第２円筒状部１１ｄとの間には、第１円筒状部１１ｃと第２円筒状部１ｄとを連結する円錐部１１ｅが設けられている。
【００２６】
図３に示すように、第１円筒状部１１ｃの内周面には、軸方向に延びるように設けられた複数のすじ状凸部領域１８が設けられている。本実施の形態においては、円周上９０°ピッチで合計４箇所にすじ状凸部領域１８が設けられている。
【００２７】
図４に示すように、第２円筒状部１１ｄの外表面には、軸方向に延びるように設けられた複数のすじ状凸部領域１４が設けられている。本実施の形態においては、円周上９０°ピッチで合計４箇所にすじ状凸部領域１４が設けられている。
【００２８】
図４および図５に示すように、第２円筒状部１１ｄの内周面には、凸部領域からなる係合片１５，１７が設けられている。係合片１７は、第２円筒状部１１ｄの円錐部１１ｅとの連結領域に設けられ、半径方向内側に突出し、円周方向に沿って９０°ピッチで４箇所に分割して配置されている。隣接する係合片１７の間には円周方向に沿って隙間が形成され、この隙間により回転阻止領域としての係合領域１７aが構成される。
【００２９】
図５に示すように、係合片１５は、第２円筒状部１１ｄの第２開放端１１ｂ側において、半径方向内側に突出し、円周方向に沿って９０°ピッチで４箇所に分割して配置されている。形状等は、上記係合片１７と同一となるように設けられている。
【００３０】
上記係合片１５および係合片１７により、雌型コネクタ１００の外表面を取り囲むように設けられた胴体凸部領域をなすロータ部１０２を軸方向から挟み込む挟持領域を構成し、円筒状本体部１１に対する雌型コネクタ１００の軸方向への移動を制限することを可能とする。また、係合片１７および係合領域１７aが、雌型コネクタ１００の外表面に設けられたすじ状凸部領域１０５に係合することにより、雌型コネクタ１００に対する回転を阻止することを可能とする。
【００３１】
（ロック部材２０）
次に、図１および図６を参照して、ロック部材２０の構造について説明する。ロック部材２０は、円筒状本体部１１の第１開放端１１ａにヒンジ機構３０を介在して連結され、第１医療用チューブ１０１と第２医療用チューブ２０１とが連結された状態において、ヒンジ機構３０により、第２医療用チューブ２０１に係合する位置（図６に示す位置）と、第２医療用チューブ２０１から離間する位置（図１に示す位置）との間を移動可能に設けられている。
【００３２】
ロック部材２０は、ヒンジ機構３０から延びる腕部材２１と、この腕部材２１から垂直方向に立ち上がる係合部材２２とを有している。腕部材２１と係合部材２２との連結部分には、補強のためのリブ２３，２３が設けられている。また、係合部材２２の先端部分には、第２医療用チューブ２０１を挟み込むようにして係合するための係合凹部２４が設けられている。
【００３３】
（ヒンジ機構３０）
ロック部材２０と円筒状本体部１１の第１開放端１１ａとの間に設けられるヒンジ機構３０は、図１および図２に良く現れるように、ロック部材２０と円筒状本体部１１とを跨ぐように設けられた長方形形状の開口部３３と、この開口部３３の両側に設けられ、ロック部材２０と円筒状本体部１１とを連結する連結部材３１，３１と、開口部３３に対して並行して設けられ、ロック部材２０と円筒状本体部１１とを連結する折り返し片３４とを有している。
【００３４】
円筒状本体部１１に対してロック部材２０が最も開いた状態では、図１および図２に示すように、折り返し片３４は外側に向かって「くの字」型に折れ曲がった形態となり、折り返し片３４の弾性力により、ロック部材２０の開いた状態が維持される。図６に示すように、ロック部材２０が起立した状態においては、係合凹部２４が第２医療用チューブ２０１を挟み込むようにして係合することで、ロック部材２０の起立した状態が維持されることになる。
【００３５】
次に、図７および図８を参照して、雌型コネクタ１００にコネクタ用ロックカバー１を取り付けた状態を示す。なお、図７は、雌型コネクタ１００にコネクタ用ロックカバー１を取り付けた状態の全体構成を示す図であり、図８は図７中ＶＩＩＩ−ＶＩＩＩ線矢視断面図である。
【００３６】
図８に示すように、第２円筒状部１１ｄの内周面に設けられた係合片１５および係合片１７により、雌型コネクタ１００の外表面を取り囲むように設けられた胴体凸部領域をなすロータ部１０２を軸方向から挟み込む挟持領域を構成し、円筒状本体部１１に対する雌型コネクタ１００の軸方向への移動を制限することを可能とする。
【００３７】
さらに、係合片１７および係合領域１７aが、雌型コネクタ１００の外表面に設けられたすじ状凸部領域１０５に係合することにより、雌型コネクタ１００に対する回転を阻止することを可能とする。
【００３８】
次に、図９および図１０を参照して、雌型コネクタ１００にコネクタ用ロックカバー１を取り付け、雌型コネクタ１００に雄型コネクタ２００を連結した状態について説明する。なお、図９は、雄型コネクタ２００が連結される第２医療用チューブ２０１にロック部材２０が係合していない状態を示し、図１０は、雄型コネクタ２００が連結される第２医療用チューブ２０１にロック部材２０が係合している状態を示す図である。
【００３９】
図１０に示すように、ロック部材２０の係合部材２２に設けられた係合凹部２４を第２医療用チューブ２０１に挟み込むように係合させる。これにより、第１医療用チューブ１０１の第１コネクタ１０１と第２医療用チューブ２０１の雄型コネクタ２００との相互の回転が、このコネクタ用ロックカバー１により阻止される状態となる。
【００４０】
その結果、第１医療用チューブ１０１および第２医療用チューブ２０１のそれぞれにねじれの力が加わった場合であっても、雌型コネクタ１００と雄型コネクタ２００との連結が外れることを阻止し、医療用チューブの連結状態の信頼性を向上させることが可能となる。
【００４１】
＜実施の形態２＞
次に、この発明に基づいた実施の形態２におけるコネクタ用ロックカバー１Ａの構造について、図１１および図１２を参照して説明する。なお、図１１は、本実施の形態におけるコネクタ用ロックカバーの全体構成を示す図であり、図１２は、雌型コネクタ１００にコネクタ用ロックカバー１Ａを取り付けた状態の全体構成を示す図である。本実施の形態において、基本的構造は、上記実施の形態１におけるコネクタ用ロックカバー１の構造と同じであり、相違点はロック部材の形状が異なる点にある。
【００４２】
図１１に示すように、本実施の形態におけるロック部材２０Ａは、実施の形態１におけるロック部材２０の腕部材２１に相当する領域に、略円形形状の蓋部材２１Ａが設けられている。これにより、雌型コネクタ１００にコネクタ用ロックカバー１Ａを取り付けた状態において、図１２に示すように、ロック部材２０Ａを第１開放端１１ａに折り畳んだ状態において、第１開放端１１ａの開口を閉ざすことが可能となる。その結果、雌型コネクタ１００に雄型コネクタ２００が接続されていない状態における雌側通路１２０の露出が回避され、雌側通路１２０への菌の付着を予防することができる。
【００４３】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００４４】
【図１】実施の形態１におけるコネクタ用ロックカバーの全体構成を示す第１の図である。
【図２】図１中ＩＩ−ＩＩ線矢視断面図である。
【図３】図１中ＩＩＩ−ＩＩＩ線矢視断面図である。
【図４】図１中ＩＶ−ＩＶ線矢視断面図である。
【図５】図５は図１中Ｖ−Ｖ線矢視図である。
【図６】本実施の形態におけるコネクタ用ロックカバーの全体構成を示す第２の図である。
【図７】第１コネクタに実施の形態１におけるコネクタ用ロックカバーを取り付けた状態の全体構成を示す図である。
【図８】図８は図７中ＶＩＩＩ−ＶＩＩＩ線矢視断面図である。
【図９】第２医療用チューブに実施の形態１におけるコネクタ用ロックカバーのロック部材が係合していない状態を示す図である。
【図１０】第２医療用チューブに実施の形態１におけるコネクタ用ロックカバーのロック部材が係合した状態を示す図である。
【図１１】実施の形態２におけるコネクタ用ロックカバーの全体構成を示す図である。
【図１２】第１コネクタに実施の形態２におけるコネクタ用ロックカバーを取り付けた状態の全体構成を示す図である。
【図１３】背景技術における医療用チューブの概略構成を示す図である。
【図１４】背景技術における連結された状態の医療用チューブの概略構成を示す図である。
【符号の説明】
【００４５】
１，１Ａ  コネクタ用ロックカバー、１１  円筒状本体部、１１ａ  第１開放端、１１ｂ  第２開放端、１１ｃ  第１円筒状部、１１ｄ  第２円筒状部、１１ｅ  円錐部、１４，１８  すじ状凸部領域、１５，１７  係合片、１７ａ  係合領域、２０  ロック部材、２１  腕部材、２２  係合部材、２３  リブ、２４  係合凹部、３０  ヒンジ機構、３１  連結部材、３３  開口部、３４  折り返し片、１００  雌型コネクタ、１０１  第１医療用チューブ、１０２  ロータ部、１０３  操作ロータ部、１０４  結合胴体部、１０５  すじ状凸部領域、１２０  雌側通路、２００  雄型コネクタ、２０１  第２医療用チューブ、２０２  結合胴体部、２０３  すじ状凸部領域、２０４  雄側通路、２０５  フランジ部、２１Ａ  蓋部材。
【図１】
2010035873.tif 000003
【図２】
2010035873.tif 000004
【図３】
2010035873.tif 000005
【図４】
2010035873.tif 000006
【図５】
2010035873.tif 000007
【図６】
2010035873.tif 000008
【図７】
2010035873.tif 000009
【図８】
2010035873.tif 000010
【図９】
2010035873.tif 000011
【図１０】
2010035873.tif 000012
【図１１】
2010035873.tif 000013
【図１２】
2010035873.tif 000014
【図１３】
2010035873.tif 000015
【図１４】
2010035873.tif 000016